(57)【要約】【課題】カフ帯を収容し得る血圧計用カバーであって、血圧計の本体から取り外し可能なものを提供すること。【解決手段】この発明の血圧計用カバーでは、一端４０ｅに、本体１０の底面１１に対して着脱可能に取り付けられる結合領域４１が設けられている。結合領域４１に対して、本体１０の背面１２と対向して配置され、収納されるカフ帯２０を受ける受け皿領域４２が連なっている。他端４０ｆに、本体１０の正面パネル１３を覆うことが可能なパネルカバー領域４４が設けられている。受け皿領域４２とパネルカバー領域４４とをつなぐ収納カバー領域４３が設けられている。本体１０の底面１１に対して結合領域４１が着脱可能に取り付けられたカバー結合状態で、正面パネル１３と受け皿領域４２に対してパネルカバー領域４４と収納カバー領域４３が開閉可能に構成されている。【選択図】図１
2019017408.tif 000002
【特許請求の範囲】
【請求項１】
カフ帯を収容し得る血圧計用カバーであって、
血圧計の本体は、支持面上に置かれる底面と、前方から後方に向かうにつれて次第に高くなるように延在するか又は水平に延在する正面パネルと、上記底面の後縁部と上記正面パネルの後縁部とをつないで高さ方向に延在する背面とを有し、
上記血圧計用カバーは、
長手方向に沿って一端から他端まで延在する帯状の外形を有し、
上記長手方向に関して上記一端側に設けられ、上記本体の上記底面に対して着脱可能に取り付けられる結合領域と、
上記結合領域に対して上記一端とは反対の側に連なり、上記本体の上記背面と対向して配置され、収納されるカフ帯を受ける受け皿領域と、
上記長手方向に関して上記他端側に設けられ、上記本体の上記正面パネルを覆うことが可能なパネルカバー領域と、
上記受け皿領域と上記パネルカバー領域とをつなぐ収納カバー領域とを含み、
上記本体の上記底面に対して上記結合領域が着脱可能に取り付けられたカバー結合状態で、上記正面パネルと上記受け皿領域に対して上記パネルカバー領域と上記収納カバー領域が開閉可能に構成されていることを特徴とする血圧計用カバー。
【請求項２】
請求項１に記載の血圧計用カバーにおいて、
上記受け皿領域と上記収納カバー領域とをつなぐ第１の境界部分、および／または、上記収納カバー領域と上記パネルカバー領域とをつなぐ第２の境界部分が折り曲げ自在であることを特徴とする血圧計用カバー。
【請求項３】
請求項１または２に記載の血圧計用カバーにおいて、
上記結合領域は、上記本体の上記底面に設けられた第１面ファスナに着脱可能に係合し得る第２面ファスナを有し、
上記第２面ファスナが上記第１面ファスナに着脱可能に係合されることによって、上記結合領域が上記本体の上記底面に着脱可能に取り付けられることを特徴とする血圧計用カバー。
【請求項４】
請求項１または２に記載の血圧計用カバーにおいて、
上記結合領域は、上記本体の上記底面に設けられた受け孔に係合すべきフックまたは密に嵌合すべき突起を有し、
上記受け孔に上記フックが係合または上記突起が密に嵌合されることによって、上記結合領域が上記本体の上記底面に着脱可能に取り付けられることを特徴とする血圧計用カバー。
【請求項５】
請求項１から４までのいずれか一つに記載の血圧計用カバーにおいて、
上記パネルカバー領域は、上記本体の上記正面パネルに形成された凸状または凹状の第１起伏要素と対応する位置に、上記第１起伏要素と嵌合すべき形状をもつ第２起伏要素を有し、
上記第１起伏要素に上記第２起伏要素が嵌合することによって、上記本体の上記正面パネルに対して上記パネルカバー領域が位置合わせされることを特徴とする血圧計用カバー。
【請求項６】
請求項１から４までのいずれか一つに記載の血圧計用カバーにおいて、
上記パネルカバー領域は、上記本体の上記正面パネルまたは上記背面に内蔵された第１磁力要素と対応する位置に、上記第１磁力要素と磁力で引き合う第２磁力要素を有し、
上記第２磁力要素が上記第１磁力要素と磁力で引き合うことによって、上記本体の上記正面パネルに対して上記パネルカバー領域が位置合わせされることを特徴とする血圧計用カバー。
【請求項７】
請求項１から６までのいずれか一つに記載の血圧計用カバーにおいて、
上記パネルカバー領域は、上記長手方向に関して複数箇所で折り曲げ自在または湾曲自在に構成されていることを特徴とする血圧計用カバー。
【請求項８】
請求項１から７までのいずれか一つに記載の血圧計用カバーにおいて、
上記収納カバー領域は、上記長手方向に関して複数箇所で折り曲げ自在または湾曲自在に構成されていることを特徴とする血圧計用カバー。
【請求項９】
請求項１から８までのいずれか一つに記載の血圧計用カバーにおいて、
上記カバー結合状態で、上記受け皿領域は、上記本体の上記底面の後縁部から斜め上方へ、下に凸に湾曲して延在する形状を維持することを特徴とする血圧計用カバー。
【請求項１０】
請求項９に記載の血圧計用カバーにおいて、
上記カバー結合状態での上記受け皿領域の上端の高さは、この受け皿領域に受けられるロール状に丸められたカフ帯の中心線から見て俯角４５°から仰角２５°までの範囲内に設定されていることを特徴とする血圧計用カバー。
【請求項１１】
請求項１から１０までのいずれか一つに記載の血圧計用カバーにおいて、
上記受け皿領域の両縁部に、この受け皿領域内に受けられたカフ帯が側方へ飛び出すのを防ぐストッパ要素が設けられていることを特徴とする血圧計用カバー。
【請求項１２】
カフ帯を収容し得る取り外し可能な血圧計用カバーを備えた血圧計であって、
この血圧計の本体は、支持面上に置かれる底面と、前方から後方に向かうにつれて次第に高くなるように延在するか又は水平に延在する正面パネルと、上記底面の後縁部と上記正面パネルの後縁部とをつないで高さ方向に延在する背面とを有し、
上記血圧計用カバーは、
長手方向に沿って一端から他端まで延在する帯状の外形を有し、
上記長手方向に関して上記一端側に設けられ、上記本体の上記底面に対して着脱可能に取り付けられる結合領域と、
上記結合領域に対して上記一端とは反対の側に連なり、上記本体の上記背面と対向して、収納されるカフ帯を受ける受け皿領域と、
上記長手方向に関して上記他端側に設けられ、上記本体の上記正面パネルを覆うことが可能なパネルカバー領域と、
上記受け皿領域と上記パネルカバー領域とをつなぐ収納カバー領域とを含み、
上記本体の上記底面に対して上記結合領域が着脱可能に取り付けられたカバー結合状態で、上記正面パネルと上記受け皿領域に対して、上記パネルカバー領域と上記収納カバー領域が開閉可能に構成されていることを特徴とする血圧計。
【請求項１３】
請求項１２に記載の血圧計において、
上記本体は、上記底面に形成された電池通過口を有するとともに、この電池通過口に着脱可能に嵌合する形状をもつ第１の電池蓋を有し、
上記血圧計用カバーは、上記結合領域に一体に設けられ、上記電池通過口に着脱可能に嵌合する形状をもつ第２の電池蓋を有し、
上記電池通過口を塞ぐために、上記第１の電池蓋に代えて上記第２の電池蓋が嵌合されることによって、上記本体に上記血圧計用カバーが取り付けられることを特徴とする血圧計。
【発明の詳細な説明】
【技術分野】
【０００１】
この発明は血圧計用カバーに関し、より詳しくは、カフ帯を収容し得る血圧計用カバーに関する。
【０００２】
また、この発明は、そのような血圧計用カバーを有する血圧計に関する。
【背景技術】
【０００３】
従来、この種の血圧計用カバーを有する血圧計としては、例えば特許文献１（特開２０１０−７５３４２号公報）に開示されているように、血圧計の本体の奥側（背面）に、ヒンジを介して、本体の上面（正面パネル）を覆うことが可能な略板状のカバーが取り付けられたものが知られている。この血圧計では、本体の背面とカバーの根元部とで囲まれたカフ帯収納凹部に、ロール状に丸められたカフ帯が収納されるようになっている。
【先行技術文献】
【特許文献】
【０００４】
【特許文献１】特開２０１０−７５３４２号公報
【発明の概要】
【発明が解決しようとする課題】
【０００５】
しかしながら、上記血圧計では、血圧計の本体にカバーがヒンジで取り付けられており、本体からカバーを取り外せない。このため、カバーのせいで血圧計が大きく嵩張るという問題がある。
【０００６】
そこで、この発明の課題は、カフ帯を収容し得る血圧計用カバーであって、血圧計の本体から取り外し可能なものを提供することにある。
【０００７】
また、この発明の課題は、そのような血圧計用カバーを取り外すことができ、小さいサイズで使用可能な血圧計を提供することにある。
【課題を解決するための手段】
【０００８】
上記課題を解決するため、この発明の血圧計用カバーは、
カフ帯を収容し得る血圧計用カバーであって、
血圧計の本体は、支持面上に置かれる底面と、前方から後方に向かうにつれて次第に高くなるように延在するか又は水平に延在する正面パネルと、上記底面の後縁部と上記正面パネルの後縁部とをつないで高さ方向に延在する背面とを有し、
上記血圧計用カバーは、
長手方向に沿って一端から他端まで延在する帯状の外形を有し、
上記長手方向に関して上記一端側に設けられ、上記本体の上記底面に対して着脱可能に取り付けられる結合領域と、
上記結合領域に対して上記一端とは反対の側に連なり、上記本体の上記背面と対向して配置され、収納されるカフ帯を受ける受け皿領域と、
上記長手方向に関して上記他端側に設けられ、上記本体の上記正面パネルを覆うことが可能なパネルカバー領域と、
上記受け皿領域と上記パネルカバー領域とをつなぐ収納カバー領域とを含み、
上記本体の上記底面に対して上記結合領域が着脱可能に取り付けられたカバー結合状態で、上記正面パネルと上記受け皿領域に対して上記パネルカバー領域と上記収納カバー領域が開閉可能に構成されていることを特徴とする。
【０００９】
本明細書で、血圧計の「本体」とは、筐体を指し、底面と正面パネルと背面とを少なくとも含む。典型的には、正面パネルには、ユーザが血圧測定のオンオフを指示するための操作部と、血圧に関する情報が表示される表示器とが設けられている。
【００１０】
また、「支持面」とは、典型的には、机、台、床（ゆか）などの水平面を指す。ただし、支持面は水平に対して多少傾斜していてもよい。
【００１１】
また、上記正面パネルと上記受け皿領域に対して上記パネルカバー領域と上記収納カバー領域が「開」可能とは、上記正面パネルと上記受け皿領域から上記パネルカバー領域と上記収納カバー領域が離間して、上記正面パネルと上記受け皿領域に対して、ユーザがアクセス可能な状態になり得ることを意味する。上記正面パネルと上記受け皿領域に対して上記パネルカバー領域と上記収納カバー領域が「閉」可能とは、上記正面パネルと上記受け皿領域に上記パネルカバー領域と上記収納カバー領域が接近して、上記正面パネルと上記受け皿領域を覆った状態になり得ることを意味する。
【００１２】
この発明の血圧計用カバーは、長手方向に沿って一端から他端まで延在する帯状の外形を有し、上記長手方向に関して上記一端側に、血圧計の本体の底面に対して着脱可能に取り付けられる結合領域を有する。この血圧計用カバーの取り付けの際には、ユーザによって、上記本体の底面に対して上記結合領域が着脱可能に取り付けられた状態（これを「カバー結合状態」と呼ぶ。）にされる。このカバー結合状態では、上記結合領域に対して上記一端とは反対の側に連なる受け皿領域が、上記本体の上記背面と対向して配置される。また、このカバー結合状態で、上記正面パネルと上記受け皿領域に対して上記パネルカバー領域と上記収納カバー領域が開閉可能に構成されている。
【００１３】
ここで、上記正面パネルと上記受け皿領域に対して上記パネルカバー領域と上記収納カバー領域が開かれると、上記正面パネルと上記受け皿領域から上記パネルカバー領域と上記収納カバー領域が離間して、上記正面パネルと上記受け皿領域に対して、ユーザがアクセス可能な状態になる。例えば、正面パネルに操作部が設けられている場合、ユーザはその操作部を操作して、血圧測定のオンオフを指示することができる。また、正面パネルに表示器が設けられている場合、ユーザはその表示器を見て、血圧に関する情報（例えば、測定結果として得られた血圧値）を知ることができる。また、例えば血圧測定が完了した場合、ユーザは、例えばロール状に丸められたカフ帯を、上記本体の背面と上記受け皿領域とが対向する空間に置くことができる。これにより、置かれたカフ帯を、上記本体の背面と上記受け皿領域とが受けた状態になる。また、血圧測定を開始する際には、ユーザは、逆向きに、上記本体の背面と上記受け皿領域とが対向する空間から外部へカフ帯を取り出すことができる。
【００１４】
上記正面パネルと上記受け皿領域に対して上記パネルカバー領域と上記収納カバー領域が閉じられると、上記正面パネルと上記受け皿領域に上記パネルカバー領域と上記収納カバー領域がそれぞれ接近して、上記正面パネルと上記受け皿領域を覆った状態になる。これにより、この血圧計用カバーによって上記本体が覆われて保護される。また、上記本体の背面と上記受け皿領域とが対向する空間にカフ帯（例えばロール状に丸められたもの）が置かれている場合は、上記本体の背面と上記受け皿領域と上記収納カバー領域とによって上記カフ帯が取り囲まれて保持される。すなわち、上記本体の背面と上記受け皿領域と上記収納カバー領域とが上記カフ帯の周りを取り囲む空間（これを「カフ帯収納部」と呼ぶ。）を構成して、このカフ帯収納部にカフ帯が収納された状態になる。
【００１５】
一方、この血圧計用カバーの取り外しの際には、ユーザによって、上記本体の底面から上記結合領域が取り外される。これにより、上記本体に対して上記血圧計用カバーが取り付けられていない状態（これを「カバー非結合状態」と呼ぶ。）となる。このカバー非結合状態では、血圧計用カバーのせいで血圧計が大きく嵩張ることはない。
【００１６】
一実施形態の血圧計用カバーでは、上記受け皿領域と上記収納カバー領域とをつなぐ第１の境界部分、および／または、上記収納カバー領域と上記パネルカバー領域とをつなぐ第２の境界部分が折り曲げ自在であることを特徴とする。
【００１７】
ここで、「折り曲げ自在」とは、ユーザが力を加えなくても、例えば血圧計用カバーの自重によって曲がる程度に、柔らかいことを意味する。例えば、上記帯状の外形は、上記長手方向に沿って、上記本体に面する側の内布と、この内布と対向する外布と、上記内布と上記外布との間に挟まれた板状の芯材とで構成されるものとする。そして、上記第１、第２の境界部分で、上記長手方向に関して、上記受け皿領域をなす上記芯材と上記収納カバー領域をなす上記芯材との間、および／または、上記収納カバー領域をなす上記芯材と上記パネルカバー領域をなす上記芯材との間に隙間が設けられているものとする。これにより、上記第１、第２の境界部分は、上記内布と上記外布とのみからなり、血圧計用カバーの自重によって曲がる程度に柔らかく構成され得る。
【００１８】
この一実施形態の血圧計用カバーでは、上記受け皿領域と上記収納カバー領域とをつなぐ第１の境界部分、および／または、上記収納カバー領域と上記パネルカバー領域とをつなぐ第２の境界部分が折り曲げ自在であるから、上記正面パネルと上記受け皿領域に対して上記パネルカバー領域と上記収納カバー領域が開かれたとき、上記パネルカバー領域と上記収納カバー領域とが立ち上がった状態を維持することなく、自重によって寝た状態になる。したがって、ユーザが上記本体の背面側から見たとき、カバーによって表示器（本体の正面パネルに設けられている）が隠れて見づらいという問題が生じない。また、ユーザが上記正面パネルと上記受け皿領域に対して上記パネルカバー領域と上記収納カバー領域を開閉する際に、上記パネルカバー領域と上記収納カバー領域に強い力を加える必要が無いので、上記受け皿領域と上記収納カバー領域とをつなぐ第１の境界部分、および／または、上記収納カバー領域と上記パネルカバー領域とをつなぐ第２の境界部分が破損し難い。
【００１９】
一実施形態の血圧計用カバーでは、
上記結合領域は、上記本体の上記底面に設けられた第１面ファスナに着脱可能に係合し得る第２面ファスナを有し、
上記第２面ファスナが上記第１面ファスナに着脱可能に係合されることによって、上記結合領域が上記本体の上記底面に着脱可能に取り付けられることを特徴とする。
【００２０】
ここで、例えば、「第１面ファスナ」は、面状の基材に目視で微細な複数のループと複数のフックのうちの一方を立設して構成される。「第２面ファスナ」は、面状の基材にそれらの複数のループと複数のフックのうちの他方を立設して構成される。
【００２１】
この一実施形態の血圧計用カバーでは、上記結合領域は、上記本体の上記底面に設けられた第１面ファスナに着脱可能に係合し得る第２面ファスナを有する。上記第２面ファスナが上記第１面ファスナに着脱可能に係合されることによって、上記結合領域が上記本体の上記底面に着脱可能に取り付けられる。したがって、上記本体の上記底面に対して上記結合領域が簡単に取り付けられ、逆に、上記本体の上記底面から上記結合領域が簡単に取り外される。
【００２２】
一実施形態の血圧計用カバーでは、
上記結合領域は、上記本体の上記底面に設けられた受け孔に係合すべきフックまたは密に嵌合すべき突起を有し、
上記受け孔に上記フックが係合または上記突起が密に嵌合されることによって、上記結合領域が上記本体の上記底面に着脱可能に取り付けられることを特徴とする。
【００２３】
この一実施形態の血圧計用カバーでは、上記結合領域は、上記本体の上記底面に設けられた受け孔に係合すべきフックまたは密に嵌合すべき突起を有する。上記受け孔に上記フックが係合または上記突起が密に嵌合されることによって、上記結合領域が上記本体の上記底面に着脱可能に取り付けられる。したがって、上記本体の上記底面に対して上記結合領域が簡単に取り付けられ、逆に、上記本体の上記底面から上記結合領域が簡単に取り外される。
【００２４】
一実施形態の血圧計用カバーでは、
上記パネルカバー領域は、上記本体の上記正面パネルに形成された凸状または凹状の第１起伏要素と対応する位置に、上記第１起伏要素と嵌合すべき形状をもつ第２起伏要素を有し、
上記第１起伏要素に上記第２起伏要素が嵌合することによって、上記本体の上記正面パネルに対して上記パネルカバー領域が位置合わせされることを特徴とする。
【００２５】
この一実施形態の血圧計用カバーでは、上記パネルカバー領域は、上記本体の上記正面パネルに形成された凸状または凹状の第１起伏要素と対応する位置に、上記第１起伏要素と嵌合すべき形状をもつ第２起伏要素を有する。これにより、例えば上記正面パネルと上記受け皿領域に対して上記パネルカバー領域と上記収納カバー領域が閉じられる際に、上記第１起伏要素に上記第２起伏要素が嵌合することによって、上記本体の上記正面パネルに対して上記パネルカバー領域が位置合わせされる。したがって、上記本体の上記正面パネルに対して上記パネルカバー領域が、例えば前方から見て左右方向または前後方向へ相対的に位置ずれするような事態が防止される。したがって、見栄えが良くなる。
【００２６】
一実施形態の血圧計用カバーでは、
上記パネルカバー領域は、上記本体の上記正面パネルまたは上記背面に内蔵された第１磁力要素と対応する位置に、上記第１磁力要素と磁力で引き合う第２磁力要素を有し、
上記第２磁力要素が上記第１磁力要素と磁力で引き合うことによって、上記本体の上記正面パネルに対して上記パネルカバー領域が位置合わせされることを特徴とする。
【００２７】
ここで、磁力で引き合う「第１磁力要素」と「第２磁力要素」との組合せとしては、例えば磁石と磁石との組合せ、または、磁石と磁性体（例えば、鉄片）との組合せが採用され得る。
【００２８】
この一実施形態の血圧計用カバーでは、上記パネルカバー領域は、上記本体の上記正面パネルまたは上記背面に内蔵された第１磁力要素と対応する位置に、上記第１磁力要素と磁力で引き合う第２磁力要素を有する。これにより、例えば上記正面パネルと上記受け皿領域に対して上記パネルカバー領域と上記収納カバー領域が閉じられる際に、上記第２磁力要素が上記第１磁力要素と磁力で引き合うことによって、上記本体の上記正面パネルに対して上記パネルカバー領域が位置合わせされる。したがって、上記本体の上記正面パネルに対して上記パネルカバー領域が、例えば前方から見て左右方向または前後方向へ相対的に位置ずれするような事態が防止される。したがって、見栄えが良くなる。
【００２９】
一実施形態の血圧計用カバーでは、上記パネルカバー領域は、上記長手方向に関して複数箇所で折り曲げ自在または湾曲自在に構成されていることを特徴とする。
【００３０】
この一実施形態の血圧計用カバーでは、上記パネルカバー領域は、上記長手方向に関して複数箇所で折り曲げ自在または湾曲自在に構成されている。これにより、上記カバー結合状態で、上記収納カバー領域が上記受け皿領域を覆った状態のまま、上記パネルカバー領域が上記正面パネルに対して開かれる際に、上記パネルカバー領域は上記長手方向に関して複数箇所で折り曲げられまたは湾曲される。したがって、上記パネルカバー領域が平坦なままである場合に比して、ユーザはより小さい手の動作で楽に上記パネルカバー領域を開くことができる。開かれた上記パネルカバー領域は、比較的小さい姿勢を自重によって維持する。
【００３１】
一実施形態の血圧計用カバーでは、上記収納カバー領域は、上記長手方向に関して複数箇所で折り曲げ自在または湾曲自在に構成されていることを特徴とする。
【００３２】
この一実施形態の血圧計用カバーでは、上記収納カバー領域は、上記長手方向に関して複数箇所で折り曲げ自在または湾曲自在に構成されている。これにより、上記カバー結合状態で、上記収納カバー領域が上記受け皿領域に対して開かれる際に、上記パネルカバー領域は上記長手方向に関して複数箇所で折り曲げられまたは湾曲される。したがって、ユーザは楽に上記収納カバー領域を開くことができる。
【００３３】
一実施形態の血圧計用カバーでは、上記カバー結合状態で、上記受け皿領域は、上記本体の上記底面の後縁部から斜め上方へ、下に凸に湾曲して延在する形状を維持することを特徴とする。
【００３４】
この一実施形態の血圧計用カバーでは、上記カバー結合状態で、上記受け皿領域は、上記本体の上記底面の後縁部から斜め上方へ、下に凸に湾曲して延在する形状を維持する。したがって、上記受け皿領域は、ロール状に丸められたカフ帯を受けるのに適する。
【００３５】
一実施形態の血圧計用カバーでは、上記カバー結合状態での上記受け皿領域の上端の高さは、この受け皿領域に受けられるロール状に丸められたカフ帯の中心線から見て俯角４５°から仰角２５°までの範囲内に設定されていることを特徴とする。
【００３６】
ここで、上記カバー結合状態での上記受け皿領域の「上端」とは、上記受け皿領域と上記収納カバー領域との間の境界部分（第１の境界部分）を意味する。
【００３７】
この一実施形態の血圧計用カバーでは、上記カバー結合状態での上記受け皿領域の上端の高さは、この受け皿領域に受けられるロール状に丸められたカフ帯の中心線から見て俯角４５°よりも上方に設定されている。したがって、仮に上記正面パネルと上記受け皿領域に対して上記パネルカバー領域と上記収納カバー領域が開かれて寝た状態になったとしても、上記受け皿領域の上端によって、上記カフ帯が上記受け皿領域から後方へ脱落するような事態が防止される。一方、上記カバー結合状態での上記受け皿領域の上端の高さは、この受け皿領域に受けられるロール状に丸められたカフ帯の中心線から見て仰角２５°よりも下方に設定されている。したがって、上記正面パネルと上記受け皿領域に対して上記パネルカバー領域と上記収納カバー領域が開かれたとき、ロール状に丸められたカフ帯を、上記本体の背面と上記受け皿領域とが対向する空間に置きまたはその空間から取り出すことが容易に行われ得る。
【００３８】
一実施形態の血圧計用カバーでは、上記受け皿領域の両縁部に、この受け皿領域内に受けられたカフ帯が側方へ飛び出すのを防ぐストッパ要素が設けられていることを特徴とする。
【００３９】
ここで、上記受け皿領域の「両縁部」とは、血圧計用カバーの長手方向に対して垂直な幅方向に関して両端に相当する部分を指す。
【００４０】
この一実施形態の血圧計用カバーでは、上記受け皿領域の両縁部に、この受け皿領域内に受けられたカフ帯が側方へ飛び出すのを防ぐストッパ要素が設けられている。したがって、例えば上記本体の背面と上記受け皿領域とが対向する空間にカフ帯が置かれた状態で、そのカフ帯が不用意に側方へ飛び出すような事態が防止される。
【００４１】
別の局面では、この発明の血圧計は、
カフ帯を収容し得る取り外し可能な血圧計用カバーを備えた血圧計であって、
この血圧計の本体は、支持面上に置かれる底面と、前方から後方に向かうにつれて次第に高くなるように延在するか又は水平に延在する正面パネルと、上記底面の後縁部と上記正面パネルの後縁部とをつないで高さ方向に延在する背面とを有し、
上記血圧計用カバーは、
長手方向に沿って一端から他端まで延在する帯状の外形を有し、
上記長手方向に関して上記一端側に設けられ、上記本体の上記底面に対して着脱可能に取り付けられる結合領域と、
上記結合領域に対して上記一端とは反対の側に連なり、上記本体の上記背面と対向して、収納されるカフ帯を受ける受け皿領域と、
上記長手方向に関して上記他端側に設けられ、上記本体の上記正面パネルを覆うことが可能なパネルカバー領域と、
上記受け皿領域と上記パネルカバー領域とをつなぐ収納カバー領域とを含み、
上記本体の上記底面に対して上記結合領域が着脱可能に取り付けられたカバー結合状態で、上記正面パネルと上記受け皿領域に対して、上記パネルカバー領域と上記収納カバー領域が開閉可能に構成されていることを特徴とする。
【００４２】
この発明の血圧計では、血圧計用カバーは、長手方向に沿って一端から他端まで延在する帯状の外形を有し、上記長手方向に関して上記一端側に、血圧計の本体の底面に対して着脱可能に取り付けられる結合領域を有する。この血圧計用カバーの取り付けの際には、ユーザによって、上記本体の底面に対して上記結合領域が着脱可能に取り付けられた状態（カバー結合状態）にされる。このカバー結合状態では、上記結合領域に対して上記一端とは反対の側に連なる受け皿領域が、上記本体の上記背面と対向して配置される。また、このカバー結合状態で、上記正面パネルと上記受け皿領域に対して上記パネルカバー領域と上記収納カバー領域が開閉可能に構成されている。
【００４３】
ここで、上記正面パネルと上記受け皿領域に対して上記パネルカバー領域と上記収納カバー領域が開かれると、上記正面パネルと上記受け皿領域から上記パネルカバー領域と上記収納カバー領域が離間して、上記正面パネルと上記受け皿領域に対して、ユーザがアクセス可能な状態になる。例えば、正面パネルに操作部が設けられている場合、ユーザはその操作部を操作して、血圧測定のオンオフを指示することができる。また、正面パネルに表示器が設けられている場合、ユーザはその表示器を見て、血圧に関する情報（例えば、測定結果として得られた血圧値）を知ることができる。また、例えば血圧測定が完了した場合、ユーザは、例えばロール状に丸められたカフ帯を、上記本体の背面と上記受け皿領域とが対向する空間に置くことができる。これにより、置かれたカフ帯を、上記本体の背面と上記受け皿領域とが受けた状態になる。
【００４４】
上記正面パネルと上記受け皿領域に対して上記パネルカバー領域と上記収納カバー領域が閉じられると、上記正面パネルと上記受け皿領域に上記パネルカバー領域と上記収納カバー領域が接近して、上記正面パネルと上記受け皿領域を覆った状態になる。これにより、上記血圧計用カバーによって上記本体が覆われて保護される。また、上記本体の背面と上記受け皿領域とが対向する空間にカフ帯（例えばロール状に丸められたもの）が置かれている場合は、上記本体の背面と上記受け皿領域と上記収納カバー領域とによって上記カフ帯が取り囲まれて保持される。すなわち、上記本体の背面と上記受け皿領域と上記収納カバー領域とがカフ帯収納部を構成して、このカフ帯収納部にカフ帯が収納された状態になる。
【００４５】
一方、上記血圧計用カバーの取り外しの際には、ユーザによって、上記本体の底面から上記結合領域が取り外される。これにより、上記本体に対して上記血圧計用カバーが取り付けられていない状態（カバー非結合状態）となる。このカバー非結合状態では、ユーザは血圧計を小さいサイズで使用できる。
【００４６】
一実施形態の血圧計では、
上記本体は、上記底面に形成された電池通過口を有するとともに、この電池通過口に着脱可能に嵌合する形状をもつ第１の電池蓋を有し、
上記血圧計用カバーは、上記結合領域に一体に設けられ、上記電池通過口に着脱可能に嵌合する形状をもつ第２の電池蓋を有し、
上記電池通過口を塞ぐために、上記第１の電池蓋に代えて上記第２の電池蓋が嵌合されることによって、上記本体に上記血圧計用カバーが取り付けられることを特徴とする。
【００４７】
ここで、「電池通過口」とは、上記本体が電池を収容する電池収容部を内蔵する場合に、上記本体の外部から上記電池収容部へ電池を入れたり、逆に出したりするための開口を意味する。
【００４８】
この一実施形態の血圧計では、カバー非結合状態では、上記底面に形成された電池通過口を塞ぐために、上記電池通過口に上記第１の電池蓋が嵌合される。このとき、上記血圧計用カバーのせいで上記血圧計が大きく嵩張ることはない。一方、上記血圧計用カバーの取り付けの際には、上記電池通過口を塞ぐために、上記第１の電池蓋に代えて上記第２の電池蓋が嵌合されることによって、上記本体に上記血圧計用カバーが取り付けられる。これにより、上記本体の底面に対して上記血圧計用カバーの上記結合領域が簡単に着脱可能に取り付けられる。
【００４９】
さらに別の局面では、この発明は、血圧計に限らず、一般の機器の本体に、この本体の外面を覆うためのカバーを着脱自在に取り付ける技術に関する。
【００５０】
この発明の機器は、
本体と、この本体の外面を覆うためのカバーとを備えた機器であって、
上記本体は、上記外面に形成された電池通過口に着脱可能に嵌合する形状をもつ第１の電池蓋を有し、
上記カバーは、上記機器の外面を覆う外面カバー部と、この外面カバー部に一体に設けられ、上記電池通過口に着脱可能に嵌合する形状をもつ第２の電池蓋を有し、
上記カバーの取り付けの際に、上記電池通過口を塞ぐために、上記第１の電池蓋に代えて上記第２の電池蓋が嵌合されるようになっていることを特徴とする機器。
【００５１】
この発明の機器では、カバー非結合状態では、上記外面に形成された電池通過口を塞ぐために、上記電池通過口に上記第１の電池蓋が嵌合される。このとき、カバーのせいで機器が大きく嵩張ることはない。したがって、上記機器を小さいサイズで使用できる。一方、上記カバーの取り付けの際には、上記電池通過口を塞ぐために、上記第１の電池蓋に代えて上記第２の電池蓋が嵌合される。これにより、カバー結合状態となって、上記本体の外面が上記カバーの上記外面カバー部によって覆われて保護される。
【発明の効果】
【００５２】
以上より明らかなように、この発明の血圧計用カバーは、カフ帯を収容でき、しかも上記本体から取り外され得る。カバー非結合状態では、血圧計用カバーのせいで血圧計が大きく嵩張ることはない。
【００５３】
この発明の血圧計では、そのような血圧計用カバーが本体から取り外され得る。したがって、ユーザは血圧計を小さいサイズにして使用できる。
【図面の簡単な説明】
【００５４】
【図１】この発明の一実施形態の血圧計用カバーで覆われた血圧計の外観を示す斜視図である。
【図２Ａ】図１の血圧計を右側方（＋Ｘ側）から見たところを示す図である。
【図２Ｂ】図１の血圧計を前方（−Ｙ側）から見たところを示す図である。
【図３】上記血圧計用カバーが開かれた状態の血圧計の外観を示す斜視図である。
【図４】上記血圧計用カバーを単独で、図１に対応して斜めから見たところを示す図である。
【図５】上記血圧計の本体の底面と血圧計用カバーの結合領域の構成を詳細に示す図である。
【図６】図１の血圧計を右側方から見た断面図である。
【図７】上記血圧計におけるカバー結合状態で、収納カバー領域が受け皿領域を覆った状態のまま、パネルカバー領域が正面パネルに対して開かれる途中の態様を示す図である。
【図８】上記血圧計におけるカバー結合状態で、正面パネルと受け皿領域に対してパネルカバー領域と収納カバー領域が開かれた態様を示す図である。
【図９】上記本体に対して上記血圧計用カバーを着脱可能に取り付ける構造の変形例を示す図である。
【図１０】図９中の血圧計用カバーの突起の近傍の構成を拡大して示す断面図である。
【図１１】図９中の本体に血圧計用カバーが取り付けられ、正面パネルと受け皿領域に対してパネルカバー領域と収納カバー領域が閉じられた態様を示す断面図である。
【図１２】上記本体に対して上記血圧計用カバーを着脱可能に取り付ける構造の別の変形例を示す図である。
【図１３】図１２中の血圧計用カバーのフックの近傍の構成を拡大して示す断面図である。
【図１４】図１２中の本体に血圧計用カバーが取り付けられ、正面パネルと受け皿領域に対してパネルカバー領域と収納カバー領域が閉じられた態様を示す断面図である。
【図１５】図１４中の本体の受け孔と血圧計用カバーのフックの数と配置が変更された例を示す図である。
【図１６】上記本体に対して上記血圧計用カバーを着脱可能に取り付ける構造のさらに別の変形例を示す図である。
【図１７】図１６中の血圧計用カバーの電池蓋の近傍の構成を拡大して示す断面図である。を示す図である。
【図１８】図１６中の本体に血圧計用カバーが取り付けられ、正面パネルと受け皿領域に対してパネルカバー領域と収納カバー領域が閉じられた態様を示す断面図である。
【図１９】上記本体の正面パネルに対して上記血圧計用カバーのパネルカバー領域を位置合わせするための付加的な構造を示す図である。
【図２０】図１９の血圧計において、正面パネルと受け皿領域に対してパネルカバー領域と収納カバー領域が閉じられた態様を示す断面図である。
【図２１】上記本体の正面パネルに対して上記血圧計用カバーのパネルカバー領域を位置合わせするための別の付加的な構造を示す図である。
【図２２】図２０の血圧計において、正面パネルと受け皿領域に対してパネルカバー領域と収納カバー領域が閉じられた態様を示す断面図である。
【図２３】上記本体の正面パネルに対して上記血圧計用カバーのパネルカバー領域を位置合わせするための、さらに別の付加的な構造を示す図である。
【図２４】図２３の血圧計において、正面パネルと受け皿領域に対してパネルカバー領域と収納カバー領域が閉じられた態様を示す断面図である。
【図２５】上記血圧計用カバーの上記パネルカバー領域の変形例を示す断面図である。
【図２６】上記血圧計用カバーの上記パネルカバー領域の別の変形例を示す断面図である。
【図２７】上記血圧計用カバーの上記収納カバー領域の変形例を示す断面図である。
【図２８】上記血圧計用カバーの上記収納カバー領域の別の変形例を示す断面図である。
【図２９】上記受け皿領域内に受けられたカフ帯が側方へ飛び出すのを防ぐための、付加的な構造を示す図である。
【図３０】図２９中の血圧計用カバーのストッパ要素の近傍の構成の仕方を拡大して示す図である。
【図３１】上記受け皿領域内に受けられたカフ帯が側方へ飛び出すのを防ぐための、別の付加的な構造を示す図である。
【図３２Ａ】上記血圧計における上記受け皿領域の上端の高さの設定を説明する図である。
【図３２Ｂ】上記血圧計における上記受け皿領域の上端の高さの、許容される設定範囲を説明する図である。
【発明を実施するための形態】
【００５５】
以下、この発明の実施の形態を、図面を参照しながら詳細に説明する。
【００５６】
図１は、この発明の一実施形態の血圧計用カバー４０で覆われた血圧計（全体を符号１で示す。）の外観を斜めから見たところを示している。図３は、血圧計用カバー４０が開かれた状態の血圧計１の外観を斜めから見たところを示している。また、図２Ａ、図２Ｂは、それぞれ図１の血圧計１を右側方（＋Ｘ側）、前方（−Ｙ側）から見たところを示している。
【００５７】
血圧計１の筐体である本体１０は、この例では、支持面としてのＸＹ平面（図１参照）上に置かれる底面１１と、正面パネル１３と、背面１２と、前面１４と、左側面１５と、右側面１６とを有している。なお、支持面としてのＸＹ平面は、この例では、机、台、床（ゆか）などの水平面を表している。ただし、支持面は水平に対して多少傾斜していてもよい。ＸＹ平面に対して垂直な高さ方向はＺ軸で表されている。
【００５８】
図２Ａによって分かるように、正面パネル１３は、前方から後方（＋Ｙ方向）に向かうにつれて次第に高くなるように水平面に対して約２５°傾斜して延在する傾斜面になっている。底面１１は概ね平坦面になっているが、底面１１の後縁部１１ｂは、前方から後方（＋Ｙ方向）に向かうにつれて次第に高くなるように水平面に対して約２５°傾斜した傾斜面になっている。前面１４は、底面１１の前縁部１１ａと正面パネル１３の前縁部１３ａとをつないで高さ方向に延在している。背面１２は、底面１１の後縁部１１ｂと正面パネル１３の後縁部１３ｂとをつないで高さ方向に延在している。前面１４と背面１２は、下から上（＋Ｚ方向）に向かうにつれて次第に前になるように鉛直面に対してそれぞれ約３０°、約２０°傾斜した傾斜面になっている。
【００５９】
図３によって分かるように、この例では、正面パネル１３には、ユーザが血圧測定のオンオフを指示するための操作部５２と、血圧に関する情報（最高血圧、最低血圧、脈拍数など）を表示する表示器５０とが設けられている。
【００６０】
また、本体１０の左側面１５には、可撓性を有する細長いエアチューブ３８を介して、カフ帯２０が取り付けられている。カフ帯２０は、血圧測定時に、この例では被測定部位としての上腕に巻かれて被測定部位を圧迫するのに用いられる。血圧測定時以外の場合は、カフ帯２０は、この例では外径８０ｍｍ程度（想定される最小外径は６０ｍｍ、最大外径は９５ｍｍとする。）のロール状に丸められて保管される。
【００６１】
図４は、本体１０から取り外された状態の血圧計用カバー４０を、図１に対応して斜めから見たところを示している。血圧計用カバー４０は、長手方向Ｌに沿って一端４０ｅから他端４０ｆまで延在する帯状の外形４９０を有している。
【００６２】
帯状の外形４９０は、図６（図１の血圧計１を右側方から見た断面図）中に示すように、本体１０に面する側の内布４９１と、この内布４９１と対向する外布４９３と、内布４９１と外布４９３との間に挟まれた板状の芯材４９２とで構成されている。内布４９１と外布４９３のサイズは、板状の芯材４９２のサイズ（トータルのサイズ）よりも若干大きく設定されている。この例では、内布４９１の外周縁と外布４９３の外周縁とを互いに接触させて縫製することによって、板状の芯材４９２が内布４９１と外布４９３との間に内包されている。
【００６３】
この例では、内布４９１と外布４９３は、いずれも厚さ１．５ｍｍのスエード革からなっている。また、芯材４９２は、厚さ２ｍｍのポリプロピレン（ＰＰ）からなっている。
【００６４】
図４に示すように、血圧計用カバー４０は、長手方向Ｌに関して一端４０ｅ側から他端４０ｆ側に向かって、結合領域４１と、受け皿領域４２と、収納カバー領域４３と、パネルカバー領域４４とを、この順に含んでいる。一端４０ｅ側に設けられた結合領域４１は、本体１０の底面１１に対して着脱可能に取り付けられる領域である。受け皿領域４２は、結合領域４１に対して一端４０ｅとは反対の側に連なり、本体１０の背面１２と対向して配置され、収納されるカフ帯２０を受ける領域である。パネルカバー領域４４は、他端４０ｆ側に設けられ、本体１０の正面パネル１３を覆うことが可能な領域である。収納カバー領域４３は、受け皿領域４２とパネルカバー領域４４とをつなぐ領域である。
【００６５】
図６中に示すように、受け皿領域４２と収納カバー領域４３とをつなぐ第１の境界部分４２５では、長手方向Ｌに関して、収納カバー領域４３をなす芯材４９２と受け皿領域４２をなす芯材４９２との間に隙間が設けられている。これにより、第１の境界部分４２５は、内布４９１と外布４９３とのみからなり、収納カバー領域４３の自重によって曲がる程度に柔らかく構成されている。このようにして、受け皿領域４２と収納カバー領域４３とをつなぐ第１の境界部分４２５が折り曲げ自在に構成されている。同様に、収納カバー領域４３とパネルカバー領域４４とをつなぐ第２の境界部分４３５では、長手方向Ｌに関して、収納カバー領域４３をなす芯材４９２とパネルカバー領域４４をなす芯材４９２との間に隙間が設けられている。これにより、パネルカバー領域４４は収納カバー領域４３に対して折り曲げ自在に構成されている。なお、第１，第２の境界部分４２５，４３５では、それぞれ内布４９１と外布４９３とが互いに接触して縫製されている。したがって、血圧計用カバー４０の内部で、長手方向Ｌに関して、第１，第２の境界部分４２５，４３５を芯材４９２が横切って移動することはない。
【００６６】
結合領域４１とパネルカバー領域４４の形状は、それらをなす芯材４９２の形状に従って、概ね平坦になっている。受け皿領域４２は、それをなす芯材４９２の形状に従って、図６に示す状態（カバー結合状態）で、本体１０の底面１１の後縁部１１ｂから斜め上方へ、下に凸に湾曲して延在する形状を維持している。したがって、受け皿領域４２は、ロール状に丸められたカフ帯２０を受けるのに適する。収納カバー領域４３は、それをなす芯材４９２の形状に従って、図６のように側方から見たとき、外向き（内布４９１から外布４９３へ向かう向き）に凸に湾曲している。
【００６７】
図５中に示すように、この例では、本体１０の底面１１には、略中央に略矩形の電池蓋１１０が設けられ、また、四隅に短円柱状のゴム脚１１１，１１２，１１３，１１４が設けられている。本体１０から電池蓋１１０が取り外された状態で、本体１０に内蔵された電池収容部（図示せず）へ外部から電池を入れたり、逆に出したりすることが可能になっている。本体１０に電池蓋１１０が取り付けられた状態では、電池蓋１１０は電池収容部に収容された電池が本体１０から脱落するのを防止する。ゴム脚１１１，１１２，１１３，１１４は、ＸＹ平面（図１参照）に本体１０が置かれたとき、本体１０の姿勢を維持する。また、図５中に示す本体１０の底面１１のうち、電池蓋１１０の幅方向（図１に示すＸ方向）に関して両側に相当する領域には、この例では矩形の第１面ファスナ６１，６２が設けられている。この例では、第１面ファスナ６１，６２は、面状の基材に目視で微細な複数のループを立設して構成されている。
【００６８】
一方、血圧計用カバー４０の結合領域４１には、略中央に略矩形の開口４１０が設けられ、また、四隅に円形の貫通孔４１１，４１２，４１３，４１４が設けられている。開口４１０は、本体１０の電池蓋１１０に対応して配置されている。これにより、本体１０の底面１１に結合領域４１が取り付けられた状態（カバー結合状態）であっても、本体１０から電池蓋１１０を取り外し、または、本体１０に電池蓋１１０を取り付けることが可能になっている。また、貫通孔４１１，４１２，４１３，４１４は、本体１０のゴム脚１１１，１１２，１１３，１１４に対応して配置されている。これにより、カバー結合状態で、ゴム脚１１１，１１２，１１３，１１４がそれぞれ貫通孔４１１，４１２，４１３，４１４に嵌まり、その結果、本体１０の底面１１に対して結合領域４１の内布４９１が隙間無く沿うようになっている。また、血圧計用カバー４０の結合領域４１（内布４９１側）のうち、開口４１０の幅方向Ｗに関して両側に相当する領域には、矩形の第２面ファスナ６３，６４が設けられている。この例では、第２面ファスナ６３，６４は、面状の基材に目視で微細な複数のフックを立設して構成されている。本体１０に対する血圧計用カバー４０の取り付けの際には、ユーザが、本体１０の底面１１に設けられたゴム脚１１１，１１２，１１３，１１４に対して血圧計用カバー４０の結合領域４１に設けられた貫通孔４１１，４１２，４１３，４１４を位置合わせして、図５中に矢印Ｂ１で示すように、本体１０の底面１１に対して結合領域４１の内布４９１を沿わせる。すると、電池蓋１１０に対して開口４１０の位置が合い、また、第１面ファスナ６１，６２に対して第２面ファスナ６３，６４の位置が合う。これにより、第２面ファスナ６３，６４が第１面ファスナ６１，６２に着脱可能に係合されて、カバー結合状態となる。このようにして、本体１０の底面１１に対して結合領域４１が簡単に取り付けられる。逆に、血圧計用カバー４０の取り外しの際には、ユーザが、本体１０の底面１１と結合領域４１とを互いに離れる向きに引っ張る。すると、第１面ファスナ６１，６２から第２面ファスナ６３，６４が引き剥がされて、本体１０の底面１１から結合領域４１が簡単に取り外される。これにより、本体１０に対して血圧計用カバー４０が取り付けられていないカバー非結合状態となる。このカバー非結合状態では、血圧計用カバー４０のせいで血圧計１が大きく嵩張ることはない。したがって、ユーザは血圧計１を小さいサイズで使用できる。
【００６９】
上述のカバー結合状態では、図６に示すように、結合領域４１に連なる受け皿領域４２が、本体１０の背面１２と対向して配置される。しかも、この図６では、血圧計１の本体１０が血圧計用カバー４０で覆われている。すなわち、正面パネル１３と受け皿領域４２に対してパネルカバー領域４４と収納カバー領域４３が閉じられている。
【００７０】
ここで、上述のように、パネルカバー領域４４と収納カバー領域４３とをつなぐ第２の境界部分４３５が折り曲げ自在に構成されている。これにより、図７に示すように、カバー結合状態で、収納カバー領域４３が受け皿領域４２を覆った状態のまま、パネルカバー領域４４が正面パネル１３に対して矢印Ｍ１で示す向きに開かれ、または、その逆向きに閉じられ得る。したがって、例えば収納カバー領域４３が受け皿領域４２を覆った状態のまま、パネルカバー領域４４を正面パネル１３に対して開くことによって、正面パネル１３からパネルカバー領域４４が離間して、正面パネル１３に対して、ユーザが矢印Ｃで示すようにアクセス可能な状態になる。例えば、ユーザは正面パネル１３に設けられている操作部５２を操作して、血圧測定のオンオフを指示することができる。また、ユーザは正面パネル１３に設けられている表示器５０を見て、血圧に関する情報（例えば、測定結果として得られた血圧値）を知ることができる。
【００７１】
さらに、収納カバー領域４３と受け皿領域４２とをつなぐ第１の境界部分４２５が折り曲げ自在に構成されている。これにより、図８に示すように、カバー結合状態で、正面パネル１３と受け皿領域４２に対してパネルカバー領域４４と収納カバー領域４３が矢印Ｍ２，Ｍ３で示す向きに開かれ、または、その逆向きに閉じられ得る。
【００７２】
例えば、正面パネル１３と受け皿領域４２に対してパネルカバー領域４４と収納カバー領域４３が開かれると、正面パネル１３と受け皿領域４２からパネルカバー領域４４と収納カバー領域４３が離間して、正面パネル１３と受け皿領域４２に対して、ユーザがアクセス可能な状態になる。例えば、図７におけるのと同様に図８中に矢印Ｃで示すように、ユーザは正面パネル１３に設けられている操作部５２を操作して、血圧測定のオンオフを指示することができる。また、ユーザは正面パネル１３に設けられている表示器５０を見て、血圧に関する情報（例えば、測定結果として得られた血圧値）を知ることができる。さらに、例えば血圧測定が完了した場合、ユーザは、例えばロール状に丸められたカフ帯２０を、本体１０の背面１２と受け皿領域４２とが対向する空間４００に矢印Ｅで示すように置くことができる。これにより、置かれたカフ帯２０を、本体１０の背面１２と受け皿領域４２とが受けた状態になる。また、血圧測定を開始しようとする際には、ユーザは、矢印Ｅとは逆向きに、本体１０の背面１２と受け皿領域４２とが対向する空間４００から外部へカフ帯２０を取り出すことができる。
【００７３】
また、収納カバー領域４３と受け皿領域４２とをつなぐ第１の境界部分４２５、および、パネルカバー領域４４と収納カバー領域４３とをつなぐ第２の境界部分４３５が折り曲げ自在であるから、パネルカバー領域４４が正面パネル１３に対して開かれたとき、パネルカバー領域４４と収納カバー領域４３が立ち上がった状態を維持することなく、図３中に示すように自重によって寝た状態になる。したがって、ユーザが本体１０の背面１２側から図８中に矢印Ｄで示すように見たとき、パネルカバー領域４４によって表示器５０（本体１０の正面パネル１３に設けられている）が隠れて見づらいという問題が生じない。また、ユーザが正面パネル１３に対してパネルカバー領域４４を開閉する際に、パネルカバー領域４４と収納カバー領域４３に強い力を加える必要が無いので、収納カバー領域４３と受け皿領域４２とをつなぐ第１の境界部分４２５、および、パネルカバー領域４４と収納カバー領域４３とをつなぐ第２の境界部分４３５が破損し難い。
【００７４】
図６に示すように、正面パネル１３と受け皿領域４２に対してパネルカバー領域４４と収納カバー領域４３が閉じられると、正面パネル１３と受け皿領域４２にパネルカバー領域４４と収納カバー領域４３がそれぞれ接近して、正面パネル１３と受け皿領域４２を覆った状態になる。これにより、この血圧計用カバー４０によって本体１０が覆われて保護される。また、本体１０の背面１２と受け皿領域４２とが対向する空間にカフ帯２０（例えばロール状に丸められたもの）が置かれている場合は、本体１０の背面１２と受け皿領域４２と収納カバー領域４３とによってカフ帯２０が取り囲まれて保持される。すなわち、本体１０の背面１２と受け皿領域４２と収納カバー領域４３とがカフ帯２０の周りを取り囲む空間（これを「カフ帯収納部」と呼ぶ。簡単のため、本体１０の背面１２と受け皿領域４２とが対向する空間４００と同じ符号で表す。）を構成して、このカフ帯収納部４００にカフ帯２０が収納された状態になる。
【００７５】
既述のように、収納カバー領域４３は、それをなす芯材４９２の形状に従って、図６のように側方から見たとき、外向き（内布４９１から外布４９３へ向かう向き）に凸に湾曲している。したがって、例えばカフ帯収納部４００にカフ帯２０が収納されていない場合であっても、収納カバー領域４３の形状が下へ向かって凹むことがなく、上に凸に維持される。これにより、見栄えが維持される。
【００７６】
（変形例１）
図９〜図１１は、本体１０に対して血圧計用カバー４０を着脱可能に取り付ける構造の変形例を示している。この例では、第１面ファスナ６１，６２と第２面ファスナ６３，６４とは省略されている（後述の変形例２，３でも同様。）。
【００７７】
この例では、図９に示すように、本体（符号１０Ａで示す。）は、底面１１の後縁部１１ｂに、幅方向（図１中に示すＸ方向）に関して両側に一対の受け孔６５，６６を有している。これらの受け孔６５，６６は円筒状に構成されている。一方、血圧計用カバー（符号４０Ａで示す。）は、結合領域（符号４１′で示す。）のうち受け孔６５，６６に対応する箇所に、それぞれ受け孔６５，６６に密に嵌合するように寸法設定された円柱状の突起６７，６８を有している。これらの突起６７，６８は、図１０に突起６８について例示するように、それぞれ芯材４９２と一体に形成され、内布４９１に設けられた貫通孔６９を通して外部へ突出している。
【００７８】
血圧計用カバー４０Ａの取り付けの際には、図９中に矢印Ｂ２で示すように、ユーザが、本体１０Ａの底面１１の後縁部１１ｂに設けられた受け孔６５，６６に対して血圧計用カバー４０Ａの結合領域４１′に設けられた突起６７，６８を位置合わせして、それぞれ密に嵌合させる。図１１中に、受け孔６６と突起６８とが密に嵌合した状態（カバー結合状態）を示している。このようにして、本体１０Ａの底面１１の後縁部１１ｂに対して結合領域４１′が取り付けられる。これにより、本体１０Ａに対して血圧計用カバー４０Ａが簡単に取り付けられる。逆に、血圧計用カバー４０Ａの取り外しの際には、ユーザが、本体１０Ａの底面１１と結合領域４１′とを互いに離れる向きに引っ張る。すると、受け孔６５，６６から突起６７，６８が摩擦力に抗して引き出されて、本体１０Ａの底面１１の後縁部１１ｂから結合領域４１′が取り外される。これにより、この血圧計用カバー４０Ａは本体１０Ａから簡単に取り外される。
【００７９】
この例では、結合領域４１′は、底面１１の後縁部１１ｂに対向すれば足りる。したがって、結合領域４１が底面１１の略全域に対向する場合に比して、結合領域４１′（したがって、血圧計用カバー４０Ａ）の長手方向Ｌの寸法を小さくすることができる。つまり、血圧計用カバー４０Ａを小型化できる。
【００８０】
（変形例２）
図１２〜図１４は、本体１０に対して血圧計用カバー４０を着脱可能に取り付ける構造の別の変形例を示している。
【００８１】
この例では、図１２に示すように、本体（符号１０Ｂで示す。）は、底面１１の後縁部１１ｂにおいて、後端側に左右一対配置された受け孔７１，７３と、前端側中央に配置された受け孔７２とを有している。これらの受け孔７１，７２，７３は横長の開口（奥行き寸法に比して幅方向寸法が長い開口）として構成されている。一方、血圧計用カバー（符号４０Ｂで示す。）は、結合領域（符号４１′で示す。）のうち受け孔７１，７２，７３に対応する箇所に、それぞれ受け孔７１，７２，７３に係合するように寸法設定された断面Ｌ状のフック７４，７５，７６を有している。中央のフック７５の先端は長手方向Ｌに関して一端４０ｅ側に向けられ、左右一対のフック７４，７６の先端は長手方向Ｌに関して他端４０ｆ側に向けられている。これらのフック７４，７５，７６は、図１３にフック７５，７６について例示するように、それぞれ芯材４９２と一体に形成され、内布４９１に設けられた貫通孔７７，７８を通して外部へ突出している。
【００８２】
血圧計用カバー４０Ｂの取り付けの際には、図１２中に矢印Ｂ３で示すように、ユーザが、本体１０Ｂの底面１１の後縁部１１ｂに設けられた受け孔７１，７２，７３に対して血圧計用カバー４０Ｂの結合領域４１′に設けられたフック７４，７５，７６を位置合わせして、それぞれ係合させる。図１４中に、受け孔７２，７３とフック７５，７６とがそれぞれ係合した状態（カバー結合状態）を示している。このようにして、本体１０Ｂの底面１１の後縁部１１ｂに対して結合領域４１′が取り付けられる。これにより、本体１０Ｂに対して血圧計用カバー４０Ｂが簡単に取り付けられる。逆に、血圧計用カバー４０Ｂの取り外しの際には、ユーザが、受け孔７１，７２，７３からフック７４，７５，７６を取り外すことによって、本体１０Ｂの底面１１の後縁部１１ｂから結合領域４１′が取り外される。これにより、この血圧計用カバー４０Ｂは本体１０Ｂから簡単に取り外される。
【００８３】
この例では、上の例と同様に、結合領域４１′は、底面１１の後縁部１１ｂに対向すれば足りる。したがって、結合領域４１が底面１１の略全域に対向する場合に比して、結合領域４１′（したがって、血圧計用カバー４０Ｂ）の長手方向Ｌの寸法を小さくすることができる。つまり、血圧計用カバー４０Ｂを小型化できる。
【００８４】
なお、受け孔７１，７２，７３とフック７４，７５，７６の数と配置は、図１２〜図１４の例に限られるものではない。図１５に示すように、本体１０Ｂ側の受け孔８１，８２を一対の縦長の開口（幅方向寸法に比して奥行き寸法が長い開口）として構成し、血圧計用カバー４０Ｂ側のそれらに対応するフック８３，８４の先端を幅方向Ｗに関して互いに反対側に向けてもよい。これらのフック８３，８４は、上述のフック７４，７５，７６と同様に、それぞれ芯材４９２と一体に形成され、内布４９１に設けられた貫通孔８５，８５を通して外部へ突出している。この図１５の配置でも、図１２〜図１４の例と同様に、本体（符号１０Ｃで示す。）に対する血圧計用カバー（符号４０Ｃで示す。）の取り付け（図１５中に矢印Ｂ４で示す）が行われ、その逆に取り外しが行われる。
【００８５】
（変形例３）
図１６〜図１８は、本体１０に対して血圧計用カバー４０を着脱可能に取り付ける構造のさらに別の変形例を示している。
【００８６】
この例では、図１６に示すように、本体（符号１０Ｄで示す。）は、底面１１に形成された略矩形の電池通過口１２３を有する。この例では、電池通過口１２３は、底面１１のうち幅方向（図１中に示すＸ方向）に関して略中央で、前後方向（図１中に示すＹ方向）に関して後縁部１１ｂに接する位置に配置されている。電池通過口１２３は、本体１０に内蔵された電池収容部（図示せず）へ外部から電池を入れたり、逆に出したりするための開口である。この電池通過口１２３に、第１の電池蓋としての本来の電池蓋１２０が着脱可能に嵌合されて取り付けられている。具体的には、電池蓋１２０は、電池通過口１２３の形状に対応した略矩形の板部１２１と、この板部１２１の前縁１２１ｅの略中央に一体に設けられたフック部１２２とを有している。このフック部１２２が電池通過口１２３の対応する箇所に設けられた切り欠き１２４に係合することによって、電池蓋１２０が電池通過口１２３に着脱可能に取り付けられている。
【００８７】
一方、血圧計用カバー（符号４０Ｄで示す。）は、結合領域（符号４１′で示す。）に一体に、電池通過口１２３に着脱可能に嵌合する形状をもつ第２の電池蓋としてのカバー取付用の電池蓋９０を有している。具体的には、電池蓋９０は、電池通過口１２３の形状に対応した略矩形の板部９１と、この板部９１の端縁９１ｅの幅方向Ｗに関して略中央に一体に設けられたフック部９２とを有している。電池蓋９０の板部９１は、図１７に示すように、芯材４９２と一体に形成され、内布４９１と外布４９３の一端４０ｅから突出している。
【００８８】
血圧計用カバー４０Ｄの取り付けの際には、ユーザは、まず図１６中に示すフック部１２２の切り欠き１２４に対する係合を解除することによって、本来の電池蓋１２０を電池通過口１２３から取り外す。次に、同図中に矢印Ｂ５で示すように、ユーザが、電池通過口１２３を塞ぐために、図１８中に示すように、血圧計用カバー４０Ｄの電池蓋９０を電池通過口１２３に嵌合する。このとき、フック部９２は切り欠き１２４に係合する。このようにして、本体１０Ｂの底面１１に対して血圧計用カバー４０Ｄの結合領域４１′から突出した電池蓋９０が取り付けられ、カバー結合状態となる。これにより、本体１０Ｄに対して血圧計用カバー４０Ｄが簡単に取り付けられる。なお、本体１０Ｄに電池蓋９０が取り付けられた状態では、電池蓋９０は電池収容部に収容された電池が本体１０Ｄから脱落するのを防止する。逆に、血圧計用カバー４０Ｄの取り外しの際には、ユーザが、フック部９２の切り欠き１２４に対する係合を解除することによって、血圧計用カバー４０Ｄの電池蓋９０を電池通過口１２３から取り外す。これにより、この血圧計用カバー４０Ｄは本体１０Ｄから簡単に取り外される。
【００８９】
この例では、上の例と同様に、結合領域４１′は、底面１１の後縁部１１ｂに対向すれば足りる。したがって、結合領域４１が底面１１の略全域に対向する場合に比して、結合領域４１′の長手方向Ｌの寸法を小さくすることができる。つまり、血圧計用カバー４０Ｄの帯状の外形４９０を小型化できる。
【００９０】
なお、この電池蓋を利用したカバー取り付けの技術は、血圧計１に限らず、一般の機器にも適用され得る。すなわち、この技術を適用して、一般の機器（図示しない符号１０００で表す。）の本体（血圧計１の本体１０と同じ符号で表す。）に、この本体の外面を覆うためのカバー（血圧計用カバー４０Ｄと同じ符号で表す。）を着脱自在に取り付けることができる。
【００９１】
例えば、この機器１０００は、
本体１０と、この本体１０の外面を覆うためのカバー４０Ｄとを備えた機器１０００であって、
本体１０は、上記外面に形成された電池通過口（上記電池通過口１２３と同じ符号で表す。）に着脱可能に嵌合する形状をもつ第１の電池蓋（上記電池蓋１２０と同じ符号で表す。）を有し、
カバー４０Ｄは、機器１０００の外面を覆う外面カバー部（上記結合領域４１′〜上記パネルカバー領域４４と同じ符号で表す。）と、この外面カバー部４１′〜４４に一体に設けられ、電池通過口１２３に着脱可能に嵌合する形状をもつ第２の電池蓋（上記電池蓋９０と同じ符号で表す。）を有し、
カバー４０Ｄの取り付けの際に、電池通過口１２３を塞ぐために、第１の電池蓋１２０に代えて第２の電池蓋９０が嵌合されるようになっていることを特徴とする。
【００９２】
この機器１０００では、本体１０に対してカバー４０Ｄが取り付けられていない状態（カバー非結合状態）では、上記外面に形成された電池通過口１２３を塞ぐために、電池通過口１２３に本来の第１の電池蓋１２０が嵌合される。このとき、カバー４０Ｄのせいで機器１０００が大きく嵩張ることはない。したがって、ユーザは機器１０００を小さいサイズで使用できる。一方、カバー４０Ｄの取り付けの際には、電池通過口１２３を塞ぐために、第１の電池蓋１２０に代えて第２の電池蓋９０が嵌合される。これにより、本体１０に対してカバー４０Ｄが取り付けられた状態（カバー結合状態）となり、本体１０の外面がカバー４０Ｄの外面カバー部４１′〜４４によって覆われて保護される。
【００９３】
（変形例４）
図１９〜図２０は、本体１０の正面パネル１３に対して血圧計用カバー４０のパネルカバー領域４４を位置合わせするための付加的な構造を示している。
【００９４】
この例では、図１９に示すように、本体（符号１０Ｅで示す。）は、正面パネル１３の周縁部を除く略全域に、凸状（より正確には、四角錐台状）に少し隆起した第１起伏要素としての隆起部１１５を有している。同図では簡単のため図示を省略しているが、既述の表示器５０と操作部５２は、この隆起部１１５に設けられている。一方、血圧計用カバー（符号４０Ｅで示す。）のパネルカバー領域４４の内布４９１側は、本体１０の正面パネル１３に形成された凸状の隆起部１１５と対応する位置に、隆起部１１５と嵌合すべき形状をもつ第２起伏要素としての窪み部９５を有している。図２０中に示すように、この窪み部９５は、内布４９１のうち隆起部１１５の周りに相当する部分４９１ｐを山状に盛り上げて形成することによって、相対的に窪んだ領域として形成されている。
【００９５】
これにより、例えば正面パネル１３と受け皿領域４２に対してパネルカバー領域４４と収納カバー領域４３が閉じられる際に、隆起部１１５に窪み部９５が嵌合することによって、本体１０の正面パネル１３に対してパネルカバー領域４４が位置合わせされる。したがって、本体１０の正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【００９６】
なお、この例では、それぞれ正面パネル１３の第１起伏要素を隆起部１１５、パネルカバー領域４４の第２起伏要素を窪み部９５としているが、これに限られるものではない。第１起伏要素と第２起伏要素とは位置合わせできれば良く、この例とは逆に、第１起伏要素を凹状、第２起伏要素を凸状としても良い。また、正面パネル１３のうち第１起伏要素が占める領域（したがって、パネルカバー領域４４のうち第２起伏要素が占める領域）は、略全域ではなく、僅かであってもよい。
【００９７】
（変形例５）
図２１〜図２２は、本体１０の正面パネル１３に対して血圧計用カバー４０のパネルカバー領域４４を位置合わせするための別の付加的な構造を示している。
【００９８】
この例では、図２１に示すように、本体（符号１０Ｆで示す。）は、正面パネル１３の前縁側左右のコーナー領域に、それぞれ第１磁力要素としての磁石１３１，１３２が内蔵されている。一方、血圧計用カバー（符号４０Ｆで示す。）のパネルカバー領域４４には、本体１０の正面パネル１３に内蔵された磁石１３１，１３２と対応する位置に、第１磁力要素と磁力で引き合う第２磁力要素としての磁石１３３，１３４がそれぞれ内蔵されている。具体的には、図２２中に磁石１３１について例示しているように、磁石１３１，１３２は、本体１０の正面パネル１３に沿って設けられた磁石保持部１３５に保持されている。また、同図中に磁石１３３について例示しているように、磁石１３３，１３４は、パネルカバー領域４４の内布４９１と芯材４９２との間に保持されている（この例では、図示しない接着剤によって芯材４９２に接着されている。）。
【００９９】
これにより、例えば正面パネル１３と受け皿領域４２に対してパネルカバー領域４４と収納カバー領域４３が閉じられる際に、磁石１３１，１３２と磁石１３３，１３４とが磁力で引き合うことによって、本体１０の正面パネル１３に対してパネルカバー領域４４が位置合わせされる。したがって、本体１０の正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【０１００】
なお、磁力で引き合う「第１磁力要素」と「第２磁力要素」との組合せとしては、この例のように磁石１３１，１３２と磁石１３３，１３４との組合せに限られず、磁石と磁性体との組合せが採用され得る。
【０１０１】
（変形例６）
図２３〜図２４は、本体１０の正面パネル１３に対して血圧計用カバー４０のパネルカバー領域４４を位置合わせするための、さらに別の付加的な構造を示している。
【０１０２】
この例では、図２３に示すように、本体（符号１０Ｇで示す。）は、背面１２の左右に、それぞれ第１磁力要素としての磁石１３６，１３７が内蔵されている。一方、血圧計用カバー（符号４０Ｇで示す。）のパネルカバー領域４４には、本体１０の正面パネル１３に内蔵された磁石１３６，１３７にまたがって対応するように、第１磁力要素と磁力で引き合う第２磁力要素としての棒状の鉄片１３８が設けられている。具体的には、図２４中に磁石１３６について例示しているように、磁石１３６，１３７は、本体１０の背面１２に沿って設けられた磁石保持部１３９に保持されている。また、同図中に例示しているように、鉄片１３８は、パネルカバー領域４４の芯材４９２と一体に形成された鉄片保持部４９２ｐに取り囲まれて保持されている。この例では、鉄片保持部４９２ｐは、パネルカバー領域４４の芯材４９２のうち第２の境界部分４３５側の端部を、断面コの字状に成形するとともに、内布４９１から突出させて形成されている。
【０１０３】
これにより、例えば正面パネル１３と受け皿領域４２に対してパネルカバー領域４４と収納カバー領域４３が閉じられる際に、磁石１３６，１３７と鉄片１３８とが磁力で引き合うことによって、本体１０の正面パネル１３に対してパネルカバー領域４４が位置合わせされる。したがって、本体１０の正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【０１０４】
（変形例７）
図２５は、血圧計用カバー４０のパネルカバー領域４４の変形例を示している。
【０１０５】
この例では、血圧計用カバー（符号４０Ｈで示す。）のパネルカバー領域（符号４４Ａで示す。）は、長手方向Ｌに関して、芯材４９２が、２箇所の隙間４４ｔ，４４ｔを介して、均等に３分割されている。パネルカバー領域４４Ａは、隙間４４ｔ，４４ｔでは内布４９１と外布４９３とのみからなり、３分割された各部分の自重によって曲がる程度に柔らかく構成されている。なお、隙間４４ｔ，４４ｔでは、それぞれ内布４９１と外布４９３とが互いに接触して縫製されている。したがって、パネルカバー領域４４Ａの内部で、長手方向Ｌに関して、隙間４４ｔ，４４ｔを芯材４９２が横切って移動することはない。
【０１０６】
これにより、図２５に示すように、カバー結合状態で、収納カバー領域４３が受け皿領域４２を覆った状態のまま、矢印Ｍ５，Ｍ６，Ｍ７で示すようにパネルカバー領域４４Ａが正面パネル１３に対して開かれる際に、パネルカバー領域４４Ａは長手方向Ｌに関して２箇所（隙間４４ｔ，４４ｔ）で折り曲げられる。この例では、パネルカバー領域４４Ａは、平坦なパネルカバー領域４４に比して、開かれる過程で比較的小さい姿勢Ｐ１，Ｐ２，Ｐ３をとる。したがって、ユーザはより小さい手の動作で楽にパネルカバー領域４４Ａを開くことができる。開かれたパネルカバー領域４４Ａは、比較的小さい姿勢Ｐ３を自重によって維持する。
【０１０７】
（変形例８）
図２６は、血圧計用カバー４０のパネルカバー領域４４の別の変形例を示している。
【０１０８】
この例では、血圧計用カバー（符号４０Ｉで示す。）のパネルカバー領域（符号４４Ｂで示す。）は、芯材４９２が省略され、内布４９１と外布４９３とのみからなっている。これにより、パネルカバー領域４４Ｂは、長手方向Ｌに関して、湾曲自在で、パネルカバー領域４４Ｂの自重によって曲がる程度に柔らかく構成されている。
【０１０９】
これにより、図２６に示すように、カバー結合状態で、収納カバー領域４３が受け皿領域４２を覆った状態のまま、矢印Ｍ８，Ｍ９で示すようにパネルカバー領域４４Ｂが正面パネル１３に対して開かれる際に、パネルカバー領域４４Ｂは長手方向Ｌに関して湾曲される。この例では、パネルカバー領域４４Ｂは、平坦なパネルカバー領域４４に比して、開かれる過程で比較的小さい姿勢Ｐ４，Ｐ５をとる。したがって、ユーザはより小さい手の動作で楽にパネルカバー領域４４Ｂを開くことができる。開かれたパネルカバー領域４４Ｂは、比較的小さい姿勢Ｐ５を自重によって維持する。
【０１１０】
（変形例９）
図２７は、血圧計用カバー４０の収納カバー領域４３の変形例を示している。
【０１１１】
この例では、血圧計用カバー（符号４０Ｊで示す。）の収納カバー領域（符号４３Ａで示す。）は、長手方向Ｌに関して、芯材４９２が、多数（４以上）の隙間４３ｔ，４３ｔ，…を介して、均等に複数（多数）に分割されている。収納カバー領域４３Ａは、隙間４３ｔ，４３ｔ，…では内布４９１と外布４９３とのみからなり、複数に分割された各部分の自重によって曲がる程度に柔らかく構成されている。なお、隙間４３ｔ，４３ｔ，…では、それぞれ内布４９１と外布４９３とが互いに接触して縫製されている。したがって、収納カバー領域４３Ａの内部で、長手方向Ｌに関して、隙間４３ｔ，４３ｔ，…を芯材４９２が横切って移動することはない。
【０１１２】
これにより、図２７に示すように、カバー結合状態で、矢印Ｍ１０で示すように収納カバー領域４３Ａが受け皿領域４２に対して開かれる際に、収納カバー領域４３Ａは長手方向Ｌに関して多数箇所（隙間４４ｔ，４４ｔ，…）で折り曲げられる（この例では、開かれる際に姿勢Ｐ６，Ｐ７をとる。）。したがって、ユーザは楽に収納カバー領域４３Ａを開くことができる。
【０１１３】
（変形例１０）
図２８は、血圧計用カバー４０の収納カバー領域４３の別の変形例を示している。
【０１１４】
この例では、血圧計用カバー（符号４０Ｋで示す。）の収納カバー領域（符号４３Ｂで示す。）は、芯材４９２が省略され、内布４９１と外布４９３とのみからなっている。これにより、収納カバー領域４３Ｂは、長手方向Ｌに関して、湾曲自在で、収納カバー領域４３Ｂの自重によって曲がる程度に柔らかく構成されている。
【０１１５】
この例でも、先の例と同様に、ユーザは楽に収納カバー領域４３Ｂを開くことができる。なお、この例では、図２８中に示すように、カバー結合状態で、かつ、正面パネル１３と受け皿領域４２に対してパネルカバー領域４４と収納カバー領域４３が閉じられた状態で、収納カバー領域４３Ｂは自重で撓んだ姿勢Ｐ９をとる。なお、芯材４９２を有する既述の収納カバー領域４３は、上に凸の姿勢Ｐ８をとることができる。
【０１１６】
（変形例１１）
図２９〜図３０は、受け皿領域４２内に受けられたカフ帯２０が側方へ飛び出すのを防ぐための、付加的な構造を示している。
【０１１７】
この例では、図２９に示すように、血圧計用カバー（符号４０Ｌで示す。）の受け皿領域４２における幅方向Ｗに関して両縁部に、前方（−Ｙ方向）へ突出した１対の略矩形の板状のストッパ要素４９２ｄ，４９２ｄが設けられている。これらのストッパ要素４９２ｄ，４９２ｄは、図３０中に手前側のストッパ要素４９２ｄについて例示しているように、芯材４９２と一体に形成され、内布４９１に設けられた切り欠き４９１ｄを通して前方へ突出している。なお、内布４９１と外布４９３とは矢印Ｂ６で示すように接触され、縫い目４９３ｘ，４９３ｘ，…に沿って縫製される。
【０１１８】
この例では、例えば図２９に示すように本体１０の背面１２と受け皿領域４２とが対向する空間４００にカフ帯２０が置かれた状態で、そのカフ帯２０が不用意に側方へ飛び出すような事態が防止される。
【０１１９】
ストッパ要素の形状は、上の例のような略矩形の板状に限られるものではない。図３１に示す血圧計用カバー（符号４０Ｍで示す。）のように、受け皿領域４２における幅方向Ｗに関して両縁部に、略半円形の板状のストッパ要素４９２ｅ，４９２ｅを設けてもよい。この場合も、図２９〜図３０の例と同様に、本体１０の背面１２と受け皿領域４２とが対向する空間４００にカフ帯２０が置かれた状態で、そのカフ帯２０が不用意に側方へ飛び出すような事態が防止される。
【０１２０】
なお、ストッパ要素は、仮に空間４００の側方全域を覆ってしまうと、ユーザがその空間４００にカフ帯２０を置きまたはその空間４００からカフ帯２０を取り出し難くなる。したがって、ストッパ要素は、空間４００の側方全域を覆うのではなく、一部のみを覆うのが望ましい。
【０１２１】
（血圧計用カバーの設計）
典型的な例では、図２Ａに示すように、カバー結合状態で、特にカフ収納部に外径８０ｍｍのカフ帯２０を収容した状態で、本体１０の正面パネル１３の前縁部１３ａ、後縁部１３ｂの高さはそれぞれ４０ｍｍ、８４ｍｍに設定されている。本体１０の正面パネル１３の前縁部１３ａから底面１１の後縁部１１ｂまでの奥行きは１２６ｍｍに設定されている。血圧計用カバー４０の結合領域４１の下面から収納カバー領域４３の頂部までの高さは１１６ｍｍに設定されている。血圧計用カバー４０の前端（他端４０ｆ）から血圧計用カバー４０の後端（概ね、第１の境界部分４２５）までの奥行きは２０２ｍｍに設定されている。図２Ｂに示すように、本体１０の幅（左側面１５と右側面１６との間の幅）は１７０ｍｍに設定されている。血圧計用カバー４０の幅は１７６ｍｍに設定されている。
【０１２２】
また、図３２Ａに示すように、カバー結合状態での受け皿領域４２の上端（すなわち、第１の境界部分４２５）の高さＺ１は、この例では、この受け皿領域４２に受けられるロール状に丸められたカフ帯２０（この例では、外径８０ｍｍ）の中心線２０ｃと同じ高さに設定されている。
【０１２３】
しかしながら、これに限られるものではない。図３２Ｂに示すように、カバー結合状態での受け皿領域４２の上端４２５の高さＺ１は、この受け皿領域４２に受けられるロール状に丸められたカフ帯２０の中心線２０ｃから見て俯角４５°から仰角２５°までの範囲内に設定されていれば良い。受け皿領域４２の上端４２５の高さＺ１がカフ帯２０の中心線２０ｃから見て俯角４５°よりも上方に設定されていれば、仮に正面パネル１３と受け皿領域４２対してパネルカバー領域４４と収納カバー領域４３が開かれて寝た状態になったとしても、受け皿領域４２の上端４２５によって、カフ帯２０が受け皿領域４２から後方（＋Ｙ方向）へ脱落するような事態が防止される。受け皿領域４２の上端４２５の高さＺ１がカフ帯２０の中心線２０ｃから見て仰角２５°よりも下方に設定されていれば、正面パネル１３と受け皿領域４２に対してパネルカバー領域４４と収納カバー領域４３が開かれたとき、ロール状に丸められたカフ帯２０を、本体１０の背面１２と受け皿領域４２とが対向する空間４００に置きまたはその空間４００から取り出すことが容易に行われ得る。
【０１２４】
上の例では、ロール状に丸められたカフ帯２０の外径は８０ｍｍであるとしたが、これに限られるものではない。例えば、ロール状に丸められたカフ帯２０の外径は６０ｍｍ〜９５ｍｍの範囲内の値をとることが想定される。外径８０ｍｍのカフ帯２０に比して、外径９５ｍｍのカフ帯は、受け皿領域４２から後方（＋Ｙ方向）へ脱落し易い。そこで、受け皿領域４２の上端４２５の高さＺ１の下限（俯角４５°）は、脱落防止の観点から、外径９５ｍｍのカフ帯を想定して設定するのが望ましい。一方、外径８０ｍｍのカフ帯２０に比して、外径６０ｍｍのカフ帯は、受け皿領域４２への出し入れがし難い。そこで、受け皿領域４２の上端４２５の高さＺ１の上限（仰角２５°）は、出し入れ容易の観点から、外径６０ｍｍのカフ帯を想定して設定するのが望ましい。
【０１２５】
なお、上述の実施形態では、カフ帯２０がロール状に丸められるものとした。しかしながら、これに限られるものではない。血圧測定完了後にユーザがカフ帯２０をロール状に丸める際に、折り畳んだエアチューブ３８をカフ帯２０の中心部に巻き込み、それらを受け皿領域４２に置いてもよい。また、カフ帯２０をロール状に丸める際に、カフ帯２０が作る渦巻きの層間に折り畳んだエアチューブ３８を巻き込み、それらを受け皿領域４２に置いてもよい。その場合、丸められたカフ帯２０は、多少断面が歪んだ円筒状になっていてもよい。
【０１２６】
また、受け皿領域４２に、まず折り畳んだエアチューブ３８を置き、その上にロール状に丸められたカフ帯２０を置いてもよい。逆に、受け皿領域４２に、まずロール状に丸められたカフ帯２０を置き、その上に折り畳んだエアチューブ３８を置いてもよい。また、ユーザは、カフ帯２０をロール状に丸めるのではなく、カフ帯２０を平坦な層状に折り畳み、折り畳んだエアチューブ３８の上または下に重ねて、受け皿領域４２に置いてもよい。
【０１２７】
上述の実施形態では、血圧計１の本体１０の正面パネル１３は水平面に対して約２５°傾斜して延在する傾斜面であるものとした。しかしながら、これに限られるものではない。正面パネル１３は、水平に延在する平坦面であってもよい。
【０１２８】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１２９】
１  血圧計
１０，１０Ａ，１０Ｂ，１０Ｃ，１０Ｄ，１０Ｅ，１０Ｆ，１０Ｇ  本体
１１  底面
１２  背面
１３  正面パネル
２０  カフ帯
４０，４０Ａ，４０Ｂ，４０Ｃ，４０Ｄ，４０Ｅ，４０Ｆ，４０Ｇ，４０Ｈ，４０Ｉ，４０Ｊ，４０Ｋ，４０Ｌ，４０Ｍ  血圧計用カバー
４１，４１′  結合領域
４２  受け皿領域
４３，４３Ａ，４３Ｂ  収納カバー領域
４４，４４Ａ，４４Ｂ  パネルカバー領域
４２５  第１の境界部分
４３５  第２の境界部分
【図１】
2019017408.tif 000003
【図２Ａ】
2019017408.tif 000004
【図２Ｂ】
2019017408.tif 000005
【図３】
2019017408.tif 000006
【図４】
2019017408.tif 000007
【図５】
2019017408.tif 000008
【図６】
2019017408.tif 000009
【図７】
2019017408.tif 000010
【図８】
2019017408.tif 000011
【図９】
2019017408.tif 000012
【図１０】
2019017408.tif 000013
【図１１】
2019017408.tif 000014
【図１２】
2019017408.tif 000015
【図１３】
2019017408.tif 000016
【図１４】
2019017408.tif 000017
【図１５】
2019017408.tif 000018
【図１６】
2019017408.tif 000019
【図１７】
2019017408.tif 000020
【図１８】
2019017408.tif 000021
【図１９】
2019017408.tif 000022
【図２０】
2019017408.tif 000023
【図２１】
2019017408.tif 000024
【図２２】
2019017408.tif 000025
【図２３】
2019017408.tif 000026
【図２４】
2019017408.tif 000027
【図２５】
2019017408.tif 000028
【図２６】
2019017408.tif 000029
【図２７】
2019017408.tif 000030
【図２８】
2019017408.tif 000031
【図２９】
2019017408.tif 000032
【図３０】
2019017408.tif 000033
【図３１】
2019017408.tif 000034
【図３２Ａ】
2019017408.tif 000035
【図３２Ｂ】
2019017408.tif 000036